(57)【要約】【課題】  測定値の取り得る範囲を予め設定された複数の領域に分割し、各領域毎に、当該領域を代表する代表測定値を表わす一続きの音声データを用いて音声再生することで、自然な音声で、しかも、細かい数値精度については周囲に知られずに再生することを可能にする。【解決手段】  音声再生モードして、簡易音声ガイダンスモードが選択されたた状態で、血糖値の測定が行われた場合、簡易音声ガイダンス処理で、測定結果を音声で通知する（Ｓ３１１）。この簡易音声ガイダンス処理では、測定で得られた血糖値が、血糖値の取り得る範囲を予め設定された領域（レンジ）のいずれに属するかを判定し、その判定した領域に対応する一続きの音声データを再生する。【選択図】  図３
2012139346.tif 000002
【特許請求の範囲】
【請求項１】
被検者から採取した体液を採取し、当該採取した体液の所定成分を測定する測定手段を有する体液成分測定装置であって、
前記測定手段による測定で得られた測定値を音声により通知するためのスピーカと、
前記測定値となり得る値の各桁の数字、各桁を表わす音声データを記憶する第１の記憶手段と、
前記測定値の取り得る範囲を予め設定された複数の領域に分割し、各領域毎に、当該領域に対応する音声データを記憶する第２の記憶手段と、
前記測定手段による測定で得られた測定値を、当該測定値の各桁まで音声により再生する第１のモード、或いは、前記測定値が属する領域に対応する音声を再生する第２のモードのいずれにするかを選択する選択手段と、
該選択手段で前記第１のモードが選択された場合、前記測定手段による測定で得られた測定値の各桁の数字、各桁位置に応じた音声データを前記第１の記憶手段から読出して連結し、前記スピーカを介して再生し、
該選択手段で前記第２のモードが選択された場合、前記測定手段による測定で得られた測定値が前記複数の領域のいずれに属するかを判定し、判定した領域に対応する前記音声データを前記第２の記憶手段から読出し、前記スピーカを介して再生する再生制御手段と、
を有することを特徴とする体液成分測定装置。
【請求項２】
前記測定手段による測定で得られた測定値を、前記選択手段の選択されたモードとは無関係に表示する表示手段を更に有することを特徴とする請求項１に記載の体液成分測定装置。
【請求項３】
前記測定手段による測定で得られた測定値を記憶保持するためのメモリと、
所定のスイッチの押下、及び、押下解放の操作が行われるたび、前記メモリに記憶された測定値のうち、新しいものから順に読出す読出手段とを更に備え、
前記再生制御手段は、前記読出手段で読出した測定値に対しても、前記第１、第２のモードに応じた再生制御処理を行うことを特徴とする請求項１又は２に記載の体液成分測定装置。
【請求項４】
前記読出手段が応じる前記スイッチの所定時間の継続した押下状態を検出する検出手段を備え、
前記選択手段は、前記検出手段で所定時間の継続した押下状態を検出する度に、前記第１のモードと第２のモードの一方を交互に選択することを特徴とする請求項１乃至３のいずれか１項に記載の体液成分測定装置。
【請求項５】
被検者から採取した体液を採取し、当該採取した体液の所定成分を測定する測定手段と、該測定手段による測定で得られた測定値を音声により通知するためのスピーカと、前記測定値となり得る値の各桁の数字、各桁を表わす音声部品データを記憶する第１の記憶手段と、前記測定値の取り得る範囲を予め設定された複数の領域に分割し、各領域毎に、当該領域に対応する音声データを記憶する第２の記憶手段とを有する体液成分測定装置の制御方法であって、
前記測定手段による測定で得られた測定値を、当該測定値の各桁まで音声により再生する第１のモード、或いは、前記測定値が属する領域に対応する音声により再生する第２のモードのいずれにするかを選択する選択工程と、
該選択工程で前記第１のモードが選択された場合、前記測定手段による測定で得られた測定値の各桁の数字、各桁位置に応じた音声データを前記第１の記憶手段から読出して連結し、前記スピーカを介して再生し、
該選択工程で前記第２のモードが選択された場合、前記測定手段による測定で得られた測定値が前記複数の領域のいずれに属するかを判定し、判定した領域に対応する前記音声データを前記第２の記憶手段から読出し、前記スピーカを介して再生する再生制御工程と、
を有することを特徴とする体液成分測定装置の制御方法。
【発明の詳細な説明】
【技術分野】
【０００１】
本発明は体液成分測定装置及びその制御方法に関するものである。特に、血糖測定装置及びその制御方法に関するものである。
【背景技術】
【０００２】
体液の成分を測定する装置の中で、血液の成分等を測定する体液成分測定装置が知られている。その代表的なものが、主に糖尿病患者に利用する血糖値を測定する血糖計である。
【０００３】
通常、血糖計は血液中のブトウ糖に応じて呈色する試験紙を装置に装着し、その試験紙に血液を付着もしくは供給し、その試験紙の呈色の度合を光学的に測定して血糖値を測定する（特許文献１）。
【０００４】
測定結果を患者に伝える手段は表示器が一般的であるが、視覚に障害がある患者にも対応させるためスピーカを搭載し、音声で伝えることもある（特許文献２）。特に、糖尿病患者の場合、網膜症を発症する虞れがあるので、音声通知機能は望まれる機能の１つでもある。
【０００５】
これまでの音声通知は、音声データを、例えば１（いち）乃至９（きゅう）の数字の音声データ、並びに、１０（じゅう）、１００（ひゃく）等の桁の音声データをメモリに記憶しておく。そして、測定結果の数値に対応させる音声データをつなぎ合わせて再生する。例えば、測定結果の血糖値が「１２３（ｍｇ／ｄＬ）」であった場合、「ひゃく」＋「に」＋「じゅう」＋「さん」の音声データを、この順番につなぎ合わせて再生するということで行っていた。音声データのつなぎ合わせで再生することのメリットは、測定値のとり得る範囲の全て値に対応する音声データを記憶するより、遥かに少ないメモリ容量で実現できるためである。
【０００６】
しかし、このような音声データのつなぎ合わせ再生に対して、少なくない患者が聞き取りにくい点を指摘している。理由は、音声データのつなぎ合わせ部分がどうしても不自然になってしまうからである。また、これまでの音声再生では、患者の周囲の人間にまで、その細かい数値までが知られるところとなり、それに対して懸念している患者も少なくない。
【先行技術文献】
【特許文献】
【０００７】
【特許文献１】特開２０００−４６８３４号公報
【特許文献２】特開２００３−５８３５９号公報
【発明の概要】
【発明が解決しようとする課題】
【０００８】
本発明は上記の問題に鑑みなされたものであり、測定値の取り得る範囲を予め設定された複数の領域に分割し、各領域毎に、当該領域を代表する代表測定値を表わす一続きの音声データを用いて音声再生することで、自然な音声で、しかも、細かい数値精度については周囲に知られずに再生する液成分測定装置を提供しようとするものである。
【課題を解決するための手段】
【０００９】
上記の目的を達成するために本発明に係る体液成分測定装置は以下に示す構成を備える。すなわち、
被検者から採取した体液を採取し、当該採取した体液の所定成分を測定する測定手段を有する体液成分測定装置であって、
前記測定手段による測定で得られた測定値を音声により通知するためのスピーカと、
前記測定値となり得る値の各桁の数字、各桁を表わす音声データを記憶する第１の記憶手段と、
前記測定値の取り得る範囲を予め設定された複数の領域に分割し、各領域毎に、当該領域に対応する音声データを記憶する第２の記憶手段と、
前記測定手段による測定で得られた測定値を、当該測定値の各桁まで音声により再生する第１のモード、或いは、前記測定値が属する領域に対応する音声を再生する第２のモードのいずれにするかを選択する選択手段と、
該選択手段で前記第１のモードが選択された場合、前記測定手段による測定で得られた測定値の各桁の数字、各桁位置に応じた音声データを前記第１の記憶手段から読出して連結し、前記スピーカを介して再生し、
該選択手段で前記第２のモードが選択された場合、前記測定手段による測定で得られた測定値が前記複数の領域のいずれに属するかを判定し、判定した領域に対応する前記音声データを前記第２の記憶手段から読出し、前記スピーカを介して再生する再生制御手段とを有する。
【発明の効果】
【００１０】
本発明によれば、測定値の取り得る範囲を予め設定された複数の領域に分割し、各領域毎に、当該領域を代表する代表測定値を表わす一続きの音声データを用いて音声再生することで、自然な音声で、しかも、細かい数値精度については周囲に知られずに再生することが可能になる。
【図面の簡単な説明】
【００１１】
【図１】実施形態に対応する血糖計１００のハードウェア構成の一例を示す図である。
【図２】実施形態に対応する血糖計の正面及び背面図である。
【図３】実施形態に対応する血糖計の血糖値の測定処理手順を示すフローチャートである。
【図４】実施形態における音声ガイダンスの切り替え処理のフローチャートである。
【図５】簡易ガイダンス再生の処理手順を示すフローチャートである。
【図６】実施形態における音声データテーブルの一例を示す図である。
【発明を実施するための形態】
【００１２】
以下、添付図面に従って本発明に係る実施形態を詳細に説明する。なお、実施形態では体液成分測定装置として携帯型血糖計に適用した例を説明する。
【００１３】
図１は、本発明に対応する携帯型の血糖計１００の構成の一例を示すブロック図である。図２（Ａ）はこの血糖計１００の表面の図であり、図２（Ｂ）はその裏面を示している。なお、係る装置の構成は、一例として挙げたものであり、本発明における体液成分測定装置の構成を限定するわけではない。また、本装置の構成は、本発明を説明する上で重要な要素についてのみ記載を行う。
【００１４】
図において、１０１は試験片（チップ）で、図２（Ａ）に示すように血糖計１００の先端部に着脱自在に取り付けられている。１０２は血液採取用開口部で、毛細管で形成された血液移動部を介して試薬層部と連通する。
【００１５】
この試薬層部は試薬を含有する試薬層１０３と血球を濾過する血球濾過層１０４とを有する。この試薬層１０３には、血液中の糖と反応して呈色を起こすのに必要な試薬、例えばグルコースオキシダーゼ（ＧＯＤ）、ペルオキシダーゼ（ＰＯＤ），４−アミノアンチピリン，Ｎ−エチル−Ｎ−（２−ヒドロキシ−３−スルホプロピル）−ｍ−トルイジン・ナトリウム（ＴＯＯＳ）等が含浸されている。試薬層１０３を形成する膜の孔径は血球が通過する孔径程度、例えば５〜１５μｍ程度が望ましい。このような孔径にすることで、試薬層１０３への血液の展開が速くなり、それによって血液と試薬との反応も速くできる。膜材質としてはニトルセルロース等、従来知られているものが使用できる。血球濾過層１０４は血球を濾過する孔径、例えば０．４５μｍを有する膜で構成される。膜材質はポリエーテルスルホン等、従来知られているものが使用できる。
【００１６】
血液は開口部１０２よりチップ内部に侵入し、毛細管からなる移動部を移動して試薬部に到達する。ここで試薬層１０３に含まれる試薬と反応し呈色を起こす。更に、血球濾過層１０４へ移動し、ここで血球が濾過される。そして反射光は血球濾過層側から測定される。
【００１７】
尚、試薬層部は血球濾過が行える細孔を有する膜に試薬を含浸させた一層の膜で構成されてもよいし、従来知られているような多層構造であってもよい。
【００１８】
１０５は光源で、所定波長、例えば約６１０ｎｍの波長の光を発光する。１０６は光検出器で、光源１０５より照射され、血球濾過層１０４で反射された光の反射光強度を検出している。この反射光強度により血球濾過層１０４における色の変化を検出することができる。１０７はＡ／Ｄ変換器で、光検出器１０６より出力される、反射光強度に応じた検出信号（アナログ信号）をデジタル信号に変換している。
【００１９】
１０８はこの血糖計１００全体の動作の判断・制御を行い、体液成分としての血糖値の測定を行うコントローラで、例えばマイクロプロセッサ等のＣＰＵ１２１、ＣＰＵ１２１の制御プログラムや音声データ等を記憶するプログラムメモリ１２３、測定データ等を記憶するＲＡＭエリアであるデータメモリ１２４、また温度センサ１２７により検知された周辺温度（環境温度）に応じた補正データ等を記憶している温度テーブル１２５を備えている。また１２６はタイマで、後述するように時間の経過を測定して、ＣＰＵ１２１に割込み等により報知している。
【００２０】
１０９は入力部で、例えば電源のオン／オフを指示するボタン（図２（Ａ）の電源ボタン２０１）、押下する度に、データメモリ１２４に格納保持されている過去に遡る方向に測定データの呼び出し＆再生出力を指示するボタン（図２（Ａ）の呼出ボタン２０２）、測定結果を再度出力させるボタン（図２（Ａ）の再生ボタン２０３）、そして、音声ガイダンスする際の音声ボリュームを設定するスイッチ（図２（Ｂ）のスライドスイッチ２０４）等で構成される。
【００２１】
１１０は、例えば液晶等の表示器、１１１は血糖計１００全体に電力を供給するための電池である。１１２ａは、各種ガイダンスや、血糖値の測定結果を患者に音声（音響）で通知するためのスピーカ、１１２ｂはコントローラ１０８の制御の元でスピーカ１１２ａを駆動するスピーカ駆動部である。このスピーカ駆動部１１２ｂは、Ｄ／Ａコンバータ、アンプを内蔵し、コントローラ１０８からの音声データをアナログ信号に変換し、且つ、アナログ信号をコントローラ１０８からの制御信号に従って増幅し、スピーカ１１２ａを駆動させる。なお、図２（Ｂ）における２１０は、音響スピーカ１１５ａからの音を外部に伝達するため、並びに、スピーカ１１２ａを保護するための音響孔である。
【００２２】
次に、本実施形態における血糖計の再生モードについて説明する。詳細は後述する説明から明らかになるが、コントローラ１０８は、血糖値の測定が完了すると、その測定して得られた血糖値を表示器１１０に表示する。この血糖値の表示に関する処理は、以下に説明する音声再生モードが如何なるモードであっても行う。
【００２３】
実施形態における音声再生モードには、非音声再生モード、通常音声ガイダンスモード、簡易音声ガイダンスモードがあり、これの切り替えはユーザ（患者）が、設定する。非音声再生モードは、スピーカ駆動部１１２ｂを駆動せず（したがって音声での再生は行なわず）、専ら表示器１１０のみで測定値を確認するモードであるので、その説明は不要であろう。また、通常音声ガイダンスモードは、測定値を構成する各桁の数字や桁位置に対応する音声データをつなぎ合わせて再生するモードである。
【００２４】
簡易音声ガイダンスモードについては以下の通りである。先ず、血糖値の取り得る範囲を、測定値の精度の最小単位（分解能）より十分に大きい、測定値の取り得る範囲を予め設定された複数の領域に、いくつものレンジ、たとえば、７０以下、７１〜１０８、１０９〜１２０、１２１〜１３０、１３１〜１４０、１４１〜１５０、１５１〜１６０、１６１〜１７０、１７１〜１８０、１８１〜１９０、１９０以上のレンジで分割しておき、各レンジに対応する「音声データ」を音声データ記憶ＩＣ（不図示）に用意しておく。音声データ記憶ＩＣは、音声データの第１の記憶手段、音声データの第２の記憶手段として機能する。そして、測定して得られた値がどのレンジに属するかに応じて、対応する「音声データ」を読出し、音声として再生出力するものである。より具体例を以下に説明する。
【００２５】
本実施形態における血糖計の精度の最小単位は整数の「１」としている。従って、それよりも１ケタ大きい「１０」をレンジとする。なお、このレンジが大きすぎると、意味が薄れてしまうので、測定対象の体液成分の種類に応じたものとすることが望まれる。本実施形態では、血糖計としているので、簡易音声ガイダンスモードでは、レンジ「１０」は望ましい値と言える。そして、例えば血糖値の取り得るレンジを、７０以下、７１〜１０８、１０９〜１２０、１０９〜１２０、１２１〜１３０、１３１〜１４０、１４１〜１５０、１５１〜１６０、１６１〜１７０、１７１〜１８０、１８１〜１９０、１９０以上のレンジに区分けしておく。測定された血糖値が、７０（ｍｇ／ｄＬ）以下の場合は、第２の記憶手段としての音声データ記憶ＩＣから音声データを読出し、スピーカ駆動部１１２ｂを駆動し、スピーカ１１２ａより、「低いです」と一続きの音声データ（途切れがない１つの音声データ）で、ユーザに聞き取りやすく再生される。７１〜１０８（ｍｇ／ｄＬ）以下の場合は、第２の記憶手段としての音声データ記憶ＩＣから音声データを読出し、スピーカ駆動部１１２ｂを駆動し、スピーカ１１２ａより、「１０以下です」，「正常です」等と一続きの音声データ（途切れがない１つの音声データ）で、ユーザに聞き取りやすく再生される。測定された血糖値が１０９〜１２０（ｍｇ／ｄＬ）の場合には、音声データ記憶ＩＣから音声データを読出し、スピーカ駆動部１１２ｂを駆動し、スピーカ１１２ａより、「１０台です」と一続きの音声データ（途切れがない１つの音声データ）で、ユーザに聞き取りやすく再生される。同様に、測定された血糖値が１２１〜１３０（ｍｇ／ｄＬ）の場合には、音声データ記憶ＩＣから音声データを読出し、スピーカ駆動部１１２ｂを駆動し、スピーカ１１２ａより、「２０台です」と一続きの音声データ（途切れがない１つの音声データ）で、ユーザに聞き取りやすく再生される。こうして、１０レンジ刻みで、測定された血糖値が１９０（ｍｇ／ｄＬ）までは、「・・台」ですという形で一続きの音声データ（途切れがない１つの音声データ）で、ユーザに聞き取りやすく再生される。測定された血糖値が１９０（ｍｇ／ｄＬ）以上では、音声データ記憶ＩＣから音声データを読出し、スピーカ駆動部１１２ｂを駆動し、スピーカ１１２ａより、「９０台以上です」と一続きの音声データ（途切れがない１つの音声データ）で、ユーザに聞き取りやすく再生される。具体的な血糖値は音声で報知されないので、測定された血糖値が正常値から外れていても周辺の人間に対して細かい血糖値まで知られてしまうという懸念もなくなり、ユーザにとって安心感が得られる。特に、実施形態では、百の桁は省略しているので、この安心感は強く、且つ、百の桁の音声が無い分だけ、データ量も削減できる。
【００２６】
上記を実現するため、実施形態におけるプログラムメモリ１２３に格納されている音声データテーブルの一例を図６（Ａ）、（Ｂ）に示す。
【００２７】
図６（Ａ）は、音声データ記憶ＩＣにおける第１の記憶手段としての通常音声ガイダンスモード時に参照する音声データテーブルのデータ構造を示すものである。図示の如く、各数字、桁位置に応じた音声部品データと最後の「です」に音声データとが記憶されている。この音声データテーブルを利用することで、例えば測定した血糖値が「１２３(ｍｇ／ｄＬ)」であったとき、コントローラ１０８は図２（Ａ）に示す音声データテーブルから、「ひゃく」、「に」、「じゅう」、「さん」、「です」の各音声部品データをこの順番に読出しては、スピーカ駆動部１１２ｂを、その際のボリューム値（スライドスイッチ２０４のツマミ位置）で駆動することになる。
【００２８】
図６（Ｂ）は、音声データ記憶ＩＣにおける第２の記憶手段としての上述の簡易音声ガイダンスモード時に参照する音声データテーブルのデータ構造を示すものである。図６（Ｂ）のような音声データテーブルを活用することで、たとえば測定した血糖値が「１２３(ｍｇ／ｄＬ)」であったとき、コントローラ１０８は図２（Ｂ）に示す音声データテーブルを参照して、１２１〜１３０のレンジであると判断し、そこから「２０台です」の音声データを読出しては、スピーカ駆動部１１２ｂを、その際のボリューム値（スライドスイッチ２０４のツマミ位置）で駆動することになる。
【００２９】
上記の通り、実施形態における音声再生モードには、非音声再生モード、通常音声ガイダンスモード、簡易音声ガイダンスモードの３種類があるが、これらの切り替えはユーザにより選択可である。この切り替えのための専用のスイッチを設けることで対処しても良いが、その場合、そのスイッチを設ける位置を確保しなければならないし、もともと本実施形態の血糖計は、ユーザが自由に持ち運べる程度の手のひらサイズであるため、その位置を確保するのは難しい。また、コストの問題もある。そこで、本実施形態では、呼出ボタン２０２を活用するものとした。この呼出ボタン２０２の本来の目的は、それが押下（正確には押圧してすぐさま押圧を解除する操作）する度に、データメモリ１２４に格納されている、直近から過去に遡る方向の測定データを順に表示していくためのものである。そのため、この呼出ボタン２０２を長押し（押下状態を予め設定された秒数以上維持してから、押下を解除する操作）を行った場合には、音声再生モードの切り替え指示と判定するものとした。すなわち、呼出ボタン２０２を長押しする度に、非音声再生モード→通常音声ガイダンスモード→簡易音声ガイダンスモード→非音声再生モード→…と切り換わるようにした。なお、現在の音声再生モードを特定する情報は、データメモリ１２４の予め設定されたアドレス位置に記憶しているものとする。また、電源ボタン２０１、再生ボタン２０３２に上述のような呼出ボタン２０２の機能を持たせるようにしてもよい。
【００３０】
図４は、ユーザによる呼び出しボタンの長押し操作の検出した際の音声再生モードの決定処理に係るフローチャートである。このフローチャートに対応するプログラムは、プログラムメモリ１２３に格納されており、コントローラ１０８（ＣＰＵ１２１）が実行するものである。
【００３１】
ステップＳ４０１にて、読出しボタン２０２の長押しを検出すると、Ｓ４０２、Ｓ４０３において、データメモリ１２４の予め設定されたアドレス位置の情報を読出し、現在のモードが何であるのかを判断する。現在のモードが通常音声ガイダンスモードであると判断した場合には、ステップＳ４０４に進み、簡易音声ガイダンスモードに移行する。一方、現在のモードが簡易音声ガイダンスモードであった場合、処理はステップＳ４０５に進み、非音声再生モードに移行する。そして、現在のモードが、非音声再生モードであった場合（Ｓ４０２、Ｓ４０３が共にがＮｏの場合）、通常音声ガイダンスモードに移行する。いずれのモードに移行した場合であっても、移行後のモードを示す情報で、データメモリ１２４を更新する。
【００３２】
以上の結果、呼出ボタン２０２の長押しする毎に、非音声再生モード→通常音声ガイダンスモード→簡易音声ガイダンスモード→非音声再生モード→…とモードの切り替えが行える。なお、実施形態ではこれら３つのモードの切り替えを説明したが、スライドスイッチ２０４により音量をゼロにした場合の状態は、測定値が音声で再生されないのと同じ状態でもあるので、呼出ボタン２０２の長押しで、通常音声ガイダンスモードと簡易音声ガイダンスモードを交互に切り換わるようにしても構わない。
【００３３】
次に、本実施形態に対応する血糖計１００の動作について、図３のフローチャートを参照して説明する。当該フローチャートに対応するプログラムはプログラムメモリ１２３に格納されており、コントローラ１０８（ＣＰＵ１２１）が実行するものである。
【００３４】
まず、ステップＳ３０１では、試験片１０１が血糖計１００に装着されているか否かを検知する。もし、試験片１０１が装着されていない場合には（ステップＳ３０１において「ＮＯ」）、ステップＳ３０２において試験片１０１の装着を促すエラー通知を行う。一方、試験片１０１が装着されている場合には（ステップＳ３０１において「ＹＥＳ」）、ステップＳ３０３に移行する。このステップＳ３０３では、ＣＰＵ１２１は、光源１０５を駆動し、光検出器１０６により血球濾過層１０４で反射された光の反射光強度を検出する。もし、光検出器１０６の測定結果に基づき反射光量の減少が検知された場合には、測定を開始するために（ステップＳ３０３において「ＹＥＳ」）、ステップＳ３０４に移行して、測定開始の通知を振動モータ１１３を介して行う。次に、ステップＳ３０５では、コントローラ１０８において血糖値の測定を行う。もし測定が終了した場合には（ステップＳ３０６において「ＹＥＳ」）、ステップＳ３０７に移行して、測定の終了を振動モータ１１３を介して通知し、ステップＳ３０８にて、表示器１１０を利用して測定結果を表示する。
【００３５】
次に、ステップＳ３０９にて、ＣＰＵ１２１は、データメモリ１２４の予め設定されたアドレス位置に記憶している情報を読出し、現在、音声通知を行うように設定されているか否かを判断する。すなわち、非音声再生モードであるか否かを判断する。非音声再生モードであると判断した場合には、本処理を終える。
【００３６】
一方、ステップＳ３０９にて、現在、音声通知を行うように設定されていると判断した場合、現在のモードは、簡易音声ガイダンスモード、通常音声ガイダンスモードのいずれかである。そこで、ステップＳ３１０に処理を進め、現在のモードは簡易音声ガイダンスモードであるか否かを判断する。
【００３７】
現在のモードが、通常音声ガイダンスモードであると判断した場合、処理はステップＳ３１２に進み、通像音声ガイダンス処理を実行する。この通像音声ガイダンス処理を簡単に説明すると、次の通りである。
【００３８】
ＣＰＵ１２１は、測定して得られた血糖値の各桁の数字、並びに、桁位置に応じた各音声部本データを、桁数の大きいほうから順番に、図２（Ａ）に示す音声データテーブルから読出す。そして、最後の「です」の音声部品データを読出す。この後、ＣＰＵ１２１は、それらをつなぎ合わせた音声データで、スピーカ駆動部１１２ｂを、その際に設定された音量（スライドスイッチ２０４の設定）に応じた増幅率に従い駆動することで音声におる再生出力を行う。
【００３９】
また、ステップＳ３１０にて、簡易音声ガイダンスモードであると判断した場合、処理はステップＳ３１１に進み、簡易音声ガイダンス処理を行う。この簡易音声ガイダンス処理の処理内容を図５のフローチャートに従って説明する。
【００４０】
ＣＰＵ１２１は、先ず、ステップＳ５０１にて、図２（Ｂ）の音声データテーブルを参照し、測定して得られた血糖値がどのレンジに属するのかを判断する。次に、該当する音声データを読出し、その読出した音声データで、スピーカ駆動部１１２ｂを、その際に設定された音量（スライドスイッチ２０４の設定）に応じた増幅率に従い駆動することで音声におる再生出力を行う。なお、簡易音声ガイダンス処理で生成する対象の音声データは、全体が一続きの音声データであるので、先に説明した通常音声ガイダンス処理のように複数の音声部品データをつなぎ合わせる処理は不要である。
【００４１】
なお、ユーザが再生ボタン２０３を押下すると、今回測定して得られた血糖値を再度再生する。その際、表示器１１にはその血糖値を再度表示するが、音声で再生するか否か、並びに、音声で再生する場合には通常音声になるが、簡易音声になるかは、その際の音声再生モードに依存する。これは、呼出２０２の押下時の処理でも同様である。
【００４２】
以上説明したように、本実施形態によれば、上記の簡易音声ガイダンスモードを設けることで、そのモードにおける音声再生は、通常の音声再生モードよりも、自然で聞きやすいものとでき、尚且つ、或る程度の幅（実施形態では「１０」）で再生することとなり、周辺の人間に対して細かい値まで知られてしまうという懸念もなくなる。更に、簡易音声ガイダンスモードでは、１つのレンジに対して共通な音声データを用意すればよいので、音声データのデータ量が膨大になることを抑制できる。
【００４３】
なお、実施形態では、音声データはサンプリングしたままの音声データを想定して説明したが、昨今の音声圧縮技術（ＭＰＥＧ  Ａｕｄｉｏ  Ｌａｙｅｒ−３等）を用いて圧縮した形式で格納しておき、再生時に復号して再生するようにしても構わない。また、実施形態では、管理音声ガイダンスモードにおけるレンジ幅を「１０」とする例を示したが、これは一例である。また、各レンジの範囲も同じでなくても構わない。それらでもって本願発明が限定されるものではない。要するに、測定対象となる体液成分の測定値の度合が、意味のあるレンジ間で差別化できれば良いからである。
【００４４】
また、本発明の実施形態においては、測定装置として生体成分と試薬との呈色反応に基づく光学式の測定装置を例示したが、測定装置の種類はこれに限定されるものではなく、例えば、電極式の測定装置や非侵襲式の測定装置であってもよい。
【図１】
2012139346.tif 000003
【図２】
2012139346.tif 000004
【図３】
2012139346.tif 000005
【図４】
2012139346.tif 000006
【図５】
2012139346.tif 000007
【図６】
2012139346.tif 000008